(57)【要約】【課題】装置の薄型化および安型化を維持しつつ画像読取時間の短縮化を実現した画像読取装置および原稿検知方法を提供する。【解決手段】本発明に係る画像読取装置は、画像読取対象となる原稿を載置する原稿台と、前記原稿を前記原稿台に保持するプラテンカバーと、前記原稿台に沿って移動するキャリッジと、前記原稿の画像読取開始位置よりも画像読取方向の前方で前記原稿のサイズを検出する原稿サイズ検知用素子と、前記原稿サイズ検知用素子の出力に基づいて原稿サイズを検知する制御装置とを備える。【選択図】  図２
2007318744.tif 000002
【特許請求の範囲】
【請求項１】
画像読取対象となる原稿を載置する原稿台と、
前記原稿を前記原稿台に保持するプラテンカバーと、
前記原稿台に沿って移動するキャリッジと、
前記原稿の画像読取開始位置よりも画像読取方向の前方で前記原稿のサイズを検出する原稿サイズ検知用素子と、
前記原稿サイズ検知用素子の出力に基づいて原稿サイズを検知する制御手段とを備える画像読取装置。
【請求項２】
請求項１に記載の画像読取装置において、
前記原稿サイズ検知用素子は、原稿サイズの検知時に発光する原稿サイズ検知用発光素子と、前記原稿サイズ検知用発光素子からの照射光を受光する原稿サイズ検知用受光素子との対であって、
前記原稿サイズ検知用発光素子は、前記キャリッジの前記原稿面側に、
前記原稿サイズ検知用受光素子は、前記プラテンカバーの前記原稿面側に設置される、
画像読取装置。
【請求項３】
請求項２に記載の画像読取装置において、
前記原稿サイズ検知用発光素子は、ライン光源である、
画像読取装置。
【請求項４】
請求項１に記載の画像読取装置において、
前記原稿サイズ検知用素子は、原稿サイズの検知時に発光する原稿サイズ検知用発光素子と、前記原稿サイズ検知用発光素子からの照射光を受光する原稿サイズ検知用受光素子との対であって、
前記原稿サイズ検知用発光素子は、前記プラテンカバーの前記原稿面側に、
前記原稿サイズ検知用受光素子は、前記キャリッジの前記原稿面側に設置される、
画像読取装置。
【請求項５】
請求項１に記載の画像読取装置において、
前記原稿サイズ検知用素子は、原稿サイズの検知時に発光する原稿サイズ検知用発光素子と、前記原稿サイズ検知用発光素子からの照射光を受光する原稿サイズ検知用受光素子との対であって、
前記制御手段は、前記キャリッジの走査に同期して前記原稿サイズ検知用発光素子が発光するタイミングをＯＮ／ＯＦＦ制御する、
画像読取装置。
【請求項６】
請求項５に記載の画像読取装置において、
前記制御手段は、前記キャリッジの走査に伴って前記原稿サイズ検知用発光素子が前記原稿サイズ検知用受光素子を相対的に通過する前後の所定範囲内で発光するようにＯＮ／ＯＦＦ制御する、
画像読取装置。
【請求項７】
請求項１に記載の画像読取装置において、
前記制御手段は、前記キャリッジが所定の位置にある状態で前記原稿が前記原稿台上に載置されているか否かを検知する原稿有無検知部を有する、
画像読取装置。
【請求項８】
請求項７に記載の画像読取装置において、
前記制御手段は、前記キャリッジの走査に同期して前記原稿が前記原稿台上に載置されているか否かの検知、および、前記原稿のサイズの検知、を行うように制御する、
画像読取装置。
【請求項９】
請求項１に記載の画像読取装置において、
前記制御手段は、前記キャリッジが所定の位置にある状態で前記原稿の主走査方向のサイズを検知する、
画像読取装置。
【請求項１０】
請求項１に記載の画像読取装置において、
前記制御手段は、少なくとも二つの異なる前記原稿サイズ検知用素子が検出する前記原稿の端面を検知した時間に基づいて前記原稿が傾いているか否かを判断する原稿傾き検知部を有する、
画像読取装置。
【請求項１１】
請求項１０に記載の画像読取装置において、
前記制御手段は、前記原稿傾き検知部が前記原稿の傾きを検知した場合、画像読取を中止する、および、前記原稿が前記原稿台上に斜めに載置されている旨を通知する、
画像読取装置。
【請求項１２】
原稿が原稿台上に載置されているか否かを検知する原稿有無検知ステップと、
前記原稿のサイズを検知する原稿サイズ検知ステップとを備え、
前記原稿有無検知ステップおよび前記原稿サイズ検知ステップは、原稿の画像読取のためにキャリッジが移動する際、画像読取に先んじて実行される、
原稿検知方法。
【発明の詳細な説明】
【技術分野】
【０００１】
本発明は、画像読取装置および原稿検知方法に係り、特に、原稿サイズの検知を画像読取時に実行可能な画像読取装置および原稿検知方法に関する。
【背景技術】
【０００２】
従来のＭＦＰ（Ｍｕｌｔｉ  Ｆｕｎｃｔｉｏｎ  Ｐｅｒｉｐｈｅｒａｌｓ：多機能周辺機器）等で用いられている画像読取装置では、特開平１１−２２５２３４号公報（例えば、特許文献１参照）に開示されているように、原稿検出センサを原稿積載台の下方の所定位置で、かつ、スキャナのベースに固設することで、原稿の有無の検出を行った結果に基づいて原稿サイズの検出を行っている。尚、原稿検知用素子は反射形フォトセンサによって構成されている。
【０００３】
しかしながら、特許文献１に開示される画像読取装置では、原稿サイズ検出素子（ＡＰＳセンサ）に反射型のフォトセンサを用い、複数個のスキャナベースの適切な位置に配置することで検出を行っている。
【０００４】
近年のスキャナの薄型化および安型化の進展に伴い、反射型フォトセンサが大きいこと、および、コストが割高であることが弊害となってきている。また、反射型フォトセンサを用いる場合、プラテンカバーが閉じた状態であると検知できないこと、外光の影響の対策が必要であること、および、検出できない色の原稿があること、等の問題がある。
【０００５】
特許第２９２４７５１号公報（例えば、特許文献２参照）に開示されているように、ＣＣＤセンサを用いて原稿サイズを検出する画像読取装置も提案されている。
【０００６】
ＣＣＤセンサを用いて原稿サイズを検出する方法には、プリスキャンにより画像の読取対象となる原稿サイズを検出する方法がある。また、プリスキャン無しの場合には、最大原稿サイズで原稿を読み取った後に原稿サイズを検出する方法がある。
【特許文献１】特開平１１−２２５２３４号公報
【特許文献２】特許第２９２４７５１号公報
【発明の開示】
【発明が解決しようとする課題】
【０００７】
しかしながら、ＣＣＤセンサを用いて原稿サイズを検出する場合、画像読取前にプリスキャンが必要となり、プリスキャンを実行する分、読取時間が余計にかかってしまうという欠点がある。
【０００８】
また、プリスキャンを行わず原稿サイズを検出する方法もあるが、この場合は、一度ページメモリが読取画像を取り込み、その後、原稿サイズを認識しているため、適切なサイズの用紙に画像を複写等して排紙するまでに要する時間はプリスキャンを行う場合と同様に長くなってしまう。
【０００９】
さらに、画像の読み取りは、常に画像読取可能な最大サイズの範囲で行われるため、小さな原稿であっても画像の読取時間は最大サイズの原稿の画像を読み取る場合と同じになると不都合がある。
【００１０】
そこで、装置の薄型化および安型化を維持しつつ画像読取時間の短縮化を図った画像読取装置および原稿検知方法が望まれる。
【００１１】
本発明は、上記事情に鑑みてなされたもので、装置の薄型化および安型化を維持しつつ画像読取時間の短縮化を図った画像読取装置および原稿検知方法を提供することを目的とする。
【課題を解決するための手段】
【００１２】
本発明に係る画像読取装置は、上記目的を達成するため、特許請求の範囲に記載したように、画像読取対象となる原稿を載置する原稿台と、前記原稿を前記原稿台に保持するプラテンカバーと、前記原稿台に沿って移動するキャリッジと、前記原稿のサイズを検出する際に発光する原稿サイズ検知用発光素子と、前記原稿サイズ検知用発光素子が発した光を受光する原稿サイズ検知用受光素子と、前記原稿サイズ検知用受光素子の出力に基づいて原稿サイズを検知する制御手段とを備える。
【００１３】
本発明に係る画像読取方法は、上記目的を達成するため、特許請求の範囲に記載したように、原稿が原稿台上に載置されているか否かを検知する原稿有無検知ステップと、前記原稿のサイズを検知する原稿サイズ検知ステップとを備え、前記原稿有無検知ステップおよび前記原稿サイズ検知ステップは、原稿の画像読取のためにキャリッジが移動する際、画像読取に先んじて実行される。
【発明の効果】
【００１４】
本発明に係る画像読取装置および原稿検知方法によれば、装置の薄型化および安型化を維持しつつ画像読取時間の短縮化を実現できる。
【発明を実施するための最良の形態】
【００１５】
本発明に係る画像読取装置および原稿検知方法の実施形態について、添付図面を参照して説明する。
【００１６】
［第１の実施形態］
図１は、本発明の第１の実施形態に係る画像読取装置を具備する画像形成装置の一例であるＭＦＰ（Ｍｕｌｔｉ  Ｆｕｎｃｔｉｏｎ  Ｐｅｒｉｐｈｅｒａｌｓ：多機能周辺機器）１Ａの構成を概略的に示す図である。
【００１７】
ＭＦＰ１Ａは、画像読取装置として画像の読み取りを行うスキャナ２Ａと、画像を用紙上に形成するプリンタ３とを具備する。
【００１８】
スキャナ２Ａは、画像を読み取るために位置決めされた原稿Ｍを走査して原稿Ｍの画像を読み取る。読み取った画像を形成する場合、スキャナ２Ａは、読み取った画像の情報をプリンタ３へ伝送する。
【００１９】
プリンタ３は、形成する画像の情報に基づき、用紙上に画像を形成した後、画像を形成した用紙を排紙トレイ５に出力する。
【００２０】
なお、ＭＦＰ１Ａは、制御を行うシステムコントローラ（後述する図３を参照）と、ユーザインターフェイスとしてのコントロールパネル（後述する図３を参照）とをさらに具備しているが、図１においては省略している。
【００２１】
図２は、本発明の第１の実施形態に係る画像形成装置（ＭＦＰ１Ａ）のスキャナの一例であるスキャナ２Ａ構成を概略的に示す図である。
【００２２】
スキャナ（画像読取装置）２Ａは、光源（例えば、キセノンランプ）７から照射された光と、光源７から照射された光をリフレクター８で反射させた光とで原稿台ガラス９上の位置決めされた原稿Ｍに照射し、その反射光を第１のミラー１０と第２のミラー１１と第３のミラー１２とを経由して、集光レンズ１３で光電素子の一例であるＣＣＤセンサ１４へ結像している。
【００２３】
原稿Ｍは、原稿台カバー（プラテンカバー）１５によって原稿台ガラス上９に固定されている。プラテンカバー１５Ａの開閉状態は、プラテンカバー開閉スイッチ１６のＯＮ／ＯＦＦによって検出される。また、プラテンカバー１５Ａには、原稿サイズを検出する際に発光する原稿サイズ検知用発光素子としてのＡＰＳセンサ（以下、発光ＡＰＳセンサとする）１７が裏面（原稿台ガラス９）側の所定の位置に配置される。
【００２４】
光源の一例であるキセノンランプ７、キセノンランプ７を駆動させるインバータ（図２において図を省略）、リフレクター８、および、第１のミラー１０は、第１のキャリッジ１９に配置されている。
【００２５】
また、第１のキャリッジ１９には、発光ＡＰＳセンサ１７の光を受光する受光ＡＰＳセンサ２０が原稿面側（図２に示す上側）、かつ、画像読取方向の前方側（図２に示す右側）に配置される。すなわち、受光ＡＰＳセンサ２０は、原稿Ｍの画像読取を開始するよりも先に画像読取方向の前方側で発光ＡＰＳセンサ１７の光を受光できる位置に配置される。
【００２６】
第２のミラー１１と、第３のミラー１２は、第２のキャリッジ２１に配置されている。
【００２７】
また、原稿台ガラス９上には、シェーディング補正の際に基準となるシェーディング補正板（白基準板）２２が設けられる。
【００２８】
なお、図２に示すＭＦＰ１において、プラテンカバー１５Ａの代わりに図示されない自動原稿送り装置（ＡＤＦ：Ａｕｔｏｍａｔｉｃ  ｄｏｃｕｍｅｎｔ  Ｆｅｅｄｅｒ）を装着し、ＡＤＦから原稿台ガラス９の上へ原稿を搬送して原稿の画像を読み取らせる場合もある。
【００２９】
次に、ＭＦＰ１Ａの作用について説明する。
【００３０】
図３は、ＭＦＰ１Ａについての機能ブロック図である。
【００３１】
ＭＦＰ１Ａは、スキャナ２Ａ、プリンタ３およびシステム全体を制御する制御手段としての制御装置２４を備える。制御装置２４は、各種演算処理を実行するＣＰＵ（Ｃｅｎｔｒａｌ  Ｐｒｏｃｅｓｓｉｎｇ  Ｕｎｉｔ）２５と、発光ＡＰＳセンサ１７等の機器を駆動させるドライバ部２６とを有する。
【００３２】
ＭＦＰ１Ａにおいて、原稿Ｍの画像読取時には、まず、ＣＰＵ（Ｃｅｎｔｒａｌ  Ｐｒｏｃｅｓｓｉｎｇ  Ｕｎｉｔ）２５がドライバ部２６を制御して、ドライバ部２６がプラテンカバー１５Ａの裏面に配置された発光ＡＰＳセンサ１７を駆動させて発光動作を制御する。この時、第１のキャリッジ１９および第２のキャリッジ２１は、走査原点位置（ホームポジション）で待機している。
【００３３】
発光ＡＰＳセンサ１７が発光した光２７は、第１のキャリッジ１９に配置された受光ＡＰＳセンサ２０で受光される。受光ＡＰＳセンサ２０の出力信号は、ドライバ部２６を介してＣＰＵ２５に取り込まれる。また、同じく第１のキャリッジ１９に配置された光源７は、ＣＰＵ２５がドライバ部２６を制御してドライバ部２６がインバータ２８を制御することによって発光制御を行っている。
【００３４】
光源７から照射された光２７は、原稿面で反射し、第１のミラー１０と第２のミラー１１と第３のミラー１２とを経由して、集光レンズ１３で集光されＣＣＤセンサ１４上に結像される。
【００３５】
ＣＣＤセンサ１４の出力（画像出力）は、画像処理部２９でＡ／Ｄ変換およびシェーディング補正などの信号処理が行われる。そして、信号処理がなされた画像出力は、画像データとしてプリンタ３へ出力され、プリンタ３のシステム／画像制御部３０に入力される。画像処理部２９およびシステム／画像制御部３０は、ＣＰＵ２５によって制御されている。
【００３６】
システム／画像制御部３０に入力された画像データは、一旦ページメモリ３１に記憶された後、画像処理が施される。また、システム／画像制御部３０は、図１に示されない外部装置との通信を行っている。
【００３７】
第１のキャリッジ１９および第２のキャリッジ２１は、ＣＰＵ２５がドライバ部２６を制御してドライバ部２６が駆動装置の一例であるモータ３２を駆動させることで移動する。
【００３８】
原稿Ｍの全面の画像を読み取るには、第１のキャリッジ１９を原稿Ｍの下を走査させる。原稿Ｍの全面の画像を読み取る際、第２のキャリッジ２１は、第１のキャリッジ１９の速さに対して１／２倍の速さで相対的に走査し、原稿面からＣＣＤセンサ１４までの光路長が常に一定に保たれる。
【００３９】
図４（Ａ）および図４（Ｂ）は、ＭＦＰ１Ａにおける原稿サイズ検知用発光素子、原稿有無検知用発光素子、原稿サイズ検知用受光素子および原稿有無検知用受光素子を実装した一例を示した図である。
【００４０】
より詳細には、図４（Ａ）は、プラテンカバー１５Ａの裏側から見た発光ＡＰＳセンサ１７および原稿有無検知用発光素子３５の配置図であり、図４（Ｂ）は、上（原稿台ガラス９）側から見た場合における原稿サイズ検知用受光素子および原稿有無検知用受光素子としての受光ＡＰＳセンサ２０の配置図である。
【００４１】
ここで、図４（Ａ）および図４（Ｂ）に示されるＨ１〜Ｈ４は主走査方向（図４（Ａ）および図４（Ｂ）における上下方向）の位置を表す。また、図４（Ａ）に示されるＶ１〜Ｖ４、および、図４（Ｂ）に示されるＶＸは、副走査方向（図４（Ａ）および図４（Ｂ）における左右方向）の位置を表す。さらに、以下の説明において、Ｖ１〜Ｖ４とＨ１〜Ｈ４との交点をＶｎＨｍ（ｎおよびｍは、１，２，３，４の何れか）と表し、ＶＸとＨ１〜Ｈ４との交点をＶＸＨｎ（ｎは、１，２，３，４の何れか）と表す。
【００４２】
図４（Ａ）に示すように、プラテンカバー１５Ａの裏面には、発光する発光ＡＰＳセンサ１７（１７Ａ〜１７Ｅ）が、Ｖ２Ｈ１，Ｖ２Ｈ２，Ｖ２Ｈ３，Ｖ２Ｈ４と、Ｖ３Ｈ１とに配置される。また、原稿検出の際に発光する原稿有無検知用発光素子３５が、Ｖ１Ｈ１の位置に配置されている。
【００４３】
また、ＭＦＰ１Ａでは、発光ＡＰＳセンサ１７および原稿有無検知用発光素子３５として、透過型のセンサを使用している。従って、図４（Ａ）に示すＶ１Ｈ１の発光素子３５と図４（Ｂ）に示すＶＸＨ１の受光素子２０と、図４（Ａ）に示すＶ２Ｈ１，Ｖ２Ｈ２，Ｖ２Ｈ３，Ｖ２Ｈ４の発光素子１７と図４（Ｂ）に示すＶＸＨ１，ＶＸＨ２，ＶＸＨ３，ＶＸＨ４の受光素子２０、図４（Ａ）のＶ３Ｈ１の発光素子１７と図４（Ｂ）に示すＶＸＨ１の受光素子２０とが対で構成されている。
【００４４】
発光ＡＰＳセンサ１７、受光ＡＰＳセンサ２０および原稿有無検知用発光素子３５は、何れも透過型センサであるので、反射型センサのように画像の読取対象となる原稿Ｍが高濃度であっても誤検出がなく、原稿Ｍの有無およびサイズを確実に検出できる。
【００４５】
図５は、ＭＦＰ１Ａにおける原稿サイズ検知用素子および原稿有無検知用素子を実装した他の（図４（Ａ）に示す例とは異なる）一例を示した図であり、より詳細には、プラテンカバー１５Ａの裏側から見た発光ＡＰＳセンサ１７の配置図である。
【００４６】
なお、図５に示す他の例において、原稿サイズ検知用受光素子および原稿有無検知用受光素子の実装は、図４（Ｂ）に示す実装例を適用している。また、図５に示されるＨ１〜Ｈ４、Ｖ１〜Ｖ４は、図４（Ａ）と同様である。
【００４７】
図５に示すように、プラテンカバー１５Ａの裏面には、発光する発光ＡＰＳセンサ１７（１７Ａ〜１７Ｅ）が、Ｖ１Ｈ１，Ｖ１Ｈ２，Ｖ１Ｈ３，Ｖ１Ｈ４の位置と、Ｖ３Ｈ１の位置とに配置される。
【００４８】
図５に示す実装例と図４（Ａ）に示す実装例との相違は、図５に示すプラテンカバー１５Ａでは、原稿有無検知用発光素子３５を設けず、発光ＡＰＳセンサ１７を配置する位置を変更した点にある。
【００４９】
プラテンカバー１５Ａにおいて、図５に示す位置に発光ＡＰＳセンサ１７を配置することで、受光ＡＰＳセンサ２０が設けられた第１のキャリッジ１９が待機位置（ホームポジション）にある時に、Ｖ１Ｈ１，Ｖ１Ｈ２，Ｖ１Ｈ３，Ｖ１Ｈ４の発光ＡＰＳセンサ１７と、図４（Ｂ）に示すＶＸＨ１，ＶＸＨ２，ＶＸＨ３，ＶＸＨ４の受光ＡＰＳセンサ２０とで原稿Ｍの横幅（主走査方向の長さ）が検出できる。
【００５０】
図６は、第１のキャリッジ１９の上面側から見た場合における原稿サイズ（例えば、ＡＢ系列の原稿サイズ）と受光ＡＰＳセンサ２０の受光位置との関係を示した図である。
【００５１】
ここで、図６に示す符号ＲＰ１は、第１の受光位置を意味し、第１の発光ＡＰＳセンサ１７Ａが発光した光を受光する受光ＡＰＳセンサ２０の位置を表す。同様に、ＲＰ２〜ＲＰ５は、それぞれ、第２の受光位置から第５の受光位置を意味し、第２の発光ＡＰＳセンサ１７Ｂが発光した光を受光する受光ＡＰＳセンサ２０の位置を表す。
【００５２】
図６に示す第１の発光ＡＰＳセンサ１７Ａ〜第５の発光ＡＰＳセンサ１７Ｅは、図４（Ａ）に示すプラテンカバー１５Ａの場合、それぞれ、Ｖ２Ｈ１、Ｖ２Ｈ２、Ｖ２Ｈ３、Ｖ２Ｈ４およびＶ３Ｈ１の位置で発光し、第１のキャリジ１９に設けられた受光ＡＰＳセンサ２０が受光する。
【００５３】
つまり、図４（Ａ）および図４（Ｂ）に示すプラテンカバー１５Ａを備えたスキャナ２Ａでは、対に構成される発光ＡＰＳセンサ１７および受光ＡＰＳセンサ２０が、原稿Ｍのサイズを検知する原稿サイズ検知用素子として機能する。
【００５４】
また、図６に示す第１の発光ＡＰＳセンサ１７Ａ〜第５の発光ＡＰＳセンサ１７Ｅは、図５に示すプラテンカバー１５Ａの場合、Ｖ１Ｈ１、Ｖ１Ｈ２、Ｖ１Ｈ３、Ｖ１Ｈ４およびＶ３Ｈ１の位置で発光し、第１のキャリジ１９に設けられた受光ＡＰＳセンサ２０が受光する。
【００５５】
つまり、図５に示すプラテンカバー１５Ａを備えたスキャナ２Ａでは、対に構成される発光ＡＰＳセンサ１７および受光ＡＰＳセンサ２０が、原稿Ｍの有無を検知する原稿有無検知用素子および原稿Ｍのサイズを検知する原稿サイズ検知用素子として機能する。
【００５６】
図７は、図６に示した発光ＡＰＳセンサ１７からの光を受光する受光ＡＰＳセンサ２０のＯＮ／ＯＦＦと原稿サイズとの関係を示した表である。
【００５７】
例えば、Ａ５−Ｒの原稿Ｍを原稿台ガラス９に置いた場合、図７に示すＮＯ．１７の場合に該当する。つまり、第１の発光ＡＰＳセンサ１７Ａが発光した光を受光した受光ＡＰＳセンサ２０の出力が０、第２の発光ＡＰＳセンサ１７Ｂが発光した光を受光した受光ＡＰＳセンサ２０の出力が１、第３の発光ＡＰＳセンサ１７Ｃが発光した光を受光した受光ＡＰＳセンサ２０の出力が１、第４の発光ＡＰＳセンサ１７Ｄが発光した光を受光した受光ＡＰＳセンサ２０の出力が１、第５の発光ＡＰＳセンサ１７Ｅが発光した光を受光した受光ＡＰＳセンサ２０の出力が１となっている。
【００５８】
また、Ａ３の原稿を原稿台ガラスにおいた場合、図７に示すＮＯ．３２の場合に該当する。つまり、第１の発光ＡＰＳセンサ１７Ａが発光した光を受光した受光ＡＰＳセンサ２０の出力が０、第２の発光ＡＰＳセンサ１７Ｂが発光した光を受光した受光ＡＰＳセンサ２０の出力が０、第３の発光ＡＰＳセンサ１７Ｃが発光した光を受光した受光ＡＰＳセンサ２０の出力が０、第４の発光ＡＰＳセンサ１７Ｄが発光した光を受光した受光ＡＰＳセンサ２０の出力が０、第５の発光ＡＰＳセンサ１７Ｅが発光した光を受光した受光ＡＰＳセンサ２０の出力が０となっている。
【００５９】
このように発光した発光ＡＰＳセンサ１７Ａ〜１７Ｅと受光ＡＰＳセンサ２０のセンサ出力に基づいて、図３に示すＣＰＵ２５が演算処理を行うことで原稿Ｍのサイズが検知される。
【００６０】
なお、図４ないし図７は、原稿ＭがＡＢ系列の場合を説明しているが、ＬＴ系列等他のサイズの場合にはＬＴ系列等を検出できるような位置に発光ＡＰＳセンサ１７が配置される。
【００６１】
図８は、横軸を時間軸としてＭＦＰ１Ａにおける原稿のサイズ検出のタイミングを説明する図（タイミングチャート）である。
【００６２】
図８では、原稿台ガラス９にサイズＡ４−Ｒの原稿Ｍが置かれ、プラテンカバー１５Ａが図４（Ａ）に示す構成である場合について説明する。
【００６３】
ユーザが原稿台ガラス９に原稿Ｍを位置決めしてプラテンカバー１５Ａを閉じると、原稿Ｍの有無を検出するため、Ｖ１Ｈ１の位置にある原稿有無検知用発光素子３５が発光する。そして、発光した光は、ＶＸＨ１の位置にある受光ＡＰＳセンサ２０によって受光される。
【００６４】
原稿有無検知用発光素子３５が発光した光を受光ＡＰＳセンサ２０が受光すると、受光した光に基づいてＣＰＵ２５が原稿Ｍの有無を検知する。ＣＰＵ２５が原稿Ｍは存在しないと判断した場合、以降の処理（ＡＰＳ処理）は実施しない。
【００６５】
原稿Ｍのサイズの検出は、ＣＰＵ２５が、原稿Ｍの読み取り開始に同期してＶ１Ｈ１の位置にある原稿有無検知用発光素子は消灯し、キャリッジ１９，２１の動作に同期して、発光ＡＰＳセンサ１７Ａ〜１７Ｅは、各々と対となる受光ＡＰＳセンサ２０の手前で発光し、通過後消灯する制御を行うことでなされる。
【００６６】
例えば、原稿サイズＡ４−Ｒの場合には、ＶＸＨ１の位置にある受光ＡＰＳセンサ２０は、画像読み取り中にＶ２およびＶ３の位置で原稿有りを検出し（受光なし）、ＶＸＨ２の位置にある受光ＡＰＳセンサ２０は、画像読み取り中にＶ２の位置で原稿有りを検出し（受光なし）、ＶＸＨ３およびＶＸＨ４の位置にある受光ＡＰＳセンサ２０は、画像読み取り中にＶ２およびＶ３の何れの位置においても原稿Ｍを未検出（受光あり）となる。
【００６７】
原稿Ｍのサイズは、各発光ＡＰＳセンサ１７Ａ〜１７Ｅと対応する位置に移動する受光ＡＰＳセンサ２０の検出回数により判断することができる。
【００６８】
第１のキャリッジ１９および第２のキャリッジ２１は、画像読取が完了すると、ホームポジションへ移動する。
【００６９】
ＭＦＰ１Ａでは、原稿Ｍの有無およびサイズを検知するセンサとして透過型センサを採用しているので、反射型センサを採用する場合よりも装置を薄型化できるとともに、画像の読取対象となる原稿Ｍが高濃度であっても誤検出がなく、原稿Ｍの有無およびサイズを確実に検出できる。
【００７０】
また、原稿の有無を検知するセンサ（原稿有無検知用発光素子３５）を設けることなく、原稿Ｍのサイズ検出用の発光素子および受光素子を利用することで、原稿Ｍの有無を検知することができる（図５参照）。さらに、原稿Ｍの取り忘れについても検出できる。
【００７１】
一方、受光ＡＰＳセンサ２０を通過した後は、原稿Ｍの画像の読み取り位置まで移動する間、発光ＡＰＳセンサ１７は消灯するように発光が制御されるので、発光ＡＰＳセンサ１７が発光した光が画像読取位置へ入射することを防止し、原稿サイズの誤検出を防止できる。
【００７２】
また、原稿サイズの検出の後に画像読取を実施しているので、画像読取終了（ページメモリ３１に書き込み完了）前にプリンタ３へ原稿サイズ情報を送信し、プリンタ３側で適切な紙サイズの選択を実施することができる。
【００７３】
さらに、発光側回路は受光側回路より安価であるため、素子を多く必要とするプラテンカバー１５Ａの裏側に発光ＡＰＳセンサ１７を設けることで安価な構成が可能となる。
【００７４】
なお、本発明の第１の実施形態では、ＭＦＰに適用した場合について説明したが、スキャナ２Ａを単体の画像読取装置に適用することもできる。さらに、画像読取を行わずに原稿Ｍのサイズを検知する原稿サイズ検知装置にも適用することができる。
【００７５】
また、後述する図９に示すように、光源７に高輝度のランプを使用した場合、原稿Ｍで反射し散乱した散乱光３６の一部が受光ＡＰＳセンサ２０に入射される可能性があることを考慮して、物理的に散乱光を遮光しても良い。以下、図９を引用して補足する。
【００７６】
図９は、ＭＦＰ１Ａのスキャナ２Ａにおいて、受光ＡＰＳセンサ２０の周辺に画像読取時に照射され原稿Ｍで反射し散乱した光（以下、散乱光とする）３６を遮光する遮光部３７を設置した第１のキャリッジ１９の構成を示す図である。
【００７７】
図９に示すように、第１のキャリッジ１９に、散乱光３６と受光ＡＰＳセンサ２０の間を遮光する遮光部３７を設けることで、原稿Ｍで反射し散乱した散乱光３６の一部が受光ＡＰＳセンサ２０に入射するのを防止することができ、原稿サイズの誤検出の防止を図ることができる。なお、図９に示す符号３８は、インバータ２８と光源７とを電気的に接続するケーブルである。
【００７８】
［第２の実施形態］
本発明の第２の実施形態に係る画像読取装置を具備する画像形成装置（以下、第２のＭＦＰとする）は、ＭＦＰ１Ａに対して、原稿有無およびサイズ検知時に発光する原稿有無検知用発光素子３５および原稿サイズ検知用発光素子（発光ＡＰＳセンサ１７）と、原稿サイズ検知用受光素子および原稿有無検知用受光素子（受光ＡＰＳセンサ２０）との位置関係が逆転している点で相違するが、その他の点では実質的に相違しない。そこで、本発明の第１の実施形態に係るＭＦＰに対して実質的に相違しない構成要素については図面に同じ符号を付して説明を省略する。
【００７９】
図１０は、本発明の第２の実施形態に係る画像形成装置（第２のＭＦＰ）のスキャナの一例であるスキャナ２Ｂの構成を概略的に示す図である。
【００８０】
スキャナ（画像読取装置）２Ｂは、光源（例えば、キセノンランプ）７から照射された光と、光源７から照射された光をリフレクター８で反射させた光とで原稿台ガラス９上の位置決めされた原稿Ｍに照射し、その反射光を第１のミラー１０と第２のミラー１１と第３のミラー１２とを経由して、集光レンズ１３で集光されＣＣＤセンサ１４上に結像される。
【００８１】
原稿Ｍは、原稿台カバー（プラテンカバー）１５Ｂによって原稿台ガラス上９に固定されている。プラテンカバー１５Ｂの開閉状態は、プラテンカバー開閉スイッチ１６のＯＮ／ＯＦＦによって検出される。また、プラテンカバー１５Ｂには、裏面（原稿台ガラス９）側の所定の位置に受光ＡＰＳセンサ２０が配置されている。
【００８２】
光源の一例であるキセノンランプ７、キセノンランプ７を駆動させるインバータ（図１０において図を省略）、リフレクター８、および、第１のミラー１０は、第１のキャリッジ１９に配置されている。また、第１のキャリッジ１９には、発光ＡＰＳセンサ１７が配置される。
【００８３】
なお、図１０に示す画像読取装置において、プラテンカバー１５Ｂの代わりに図示されない自動原稿送り装置（ＡＤＦ）を装着し、ＡＤＦから原稿台ガラス９の上へ原稿を搬送して原稿の画像を読み取らせる場合もある。
【００８４】
図１１は、第２のＭＦＰについての機能ブロック図である。
【００８５】
図１１に示すように、第２のＭＦＰとＭＦＰ１Ａとの相違は、光２７の方向であって、その他の点は実質的に相違しない。
【００８６】
図１２（Ａ）および図１２（Ｂ）は、第２のＭＦＰにおける原稿サイズ検知用発光素子、原稿有無検知用発光素子、原稿サイズ検知用受光素子および原稿有無検知用受光素子を実装した一例を示した図である。
【００８７】
より詳細には、図１２（Ａ）は、プラテンカバー１５Ｂの裏側から見た原稿サイズ検知用受光素子としての受光ＡＰＳセンサ２０および原稿有無検知用受光素子３９の配置図であり、図１２（Ｂ）は、上（原稿台ガラス９）側から見た場合における原稿サイズ検知用発光素子および原稿有無検知用発光素子としての発光ＡＰＳセンサ１７の配置図である。
【００８８】
図１２（Ａ）に示すように、プラテンカバー１５の裏面には、受光ＡＰＳセンサ２０（２０Ａ〜２０Ｅ）が、Ｖ２Ｈ１，Ｖ２Ｈ２，Ｖ２Ｈ３，Ｖ２Ｈ４と、Ｖ３Ｈ１とに配置される。また、原稿検出の際に受光する原稿有無検知用受光素子３９が、Ｖ１Ｈ１の位置に配置されている。
【００８９】
また、第２のＭＦＰでは、受光ＡＰＳセンサ２０および原稿有無検知用受光素子３９として、透過型のセンサを使用している。従って、図１２（Ａ）に示すＶ１Ｈ１の受光素子３９と図１２（Ｂ）に示すＶＸＨ１の発光素子１７と、図１２（Ａ）に示すＶ２Ｈ１，Ｖ２Ｈ２，Ｖ２Ｈ３，Ｖ２Ｈ４の受光素子２０（２０Ａ〜２０Ｄ）と図１２（Ｂ）に示すＶＸＨ１，ＶＸＨ２，ＶＸＨ３，ＶＸＨ４の発光素子１７、図１２（Ａ）のＶ３Ｈ１の受光素子２０（２０Ｅ）と図１２（Ｂ）に示すＶＸＨ１の発光素子１７とが対で構成されている。
【００９０】
発光ＡＰＳセンサ１７、受光ＡＰＳセンサ２０および原稿有無検知用受光素子３９は、何れも透過型センサであるので、反射型センサのように画像の読取対象となる原稿Ｍが高濃度であっても誤検出がなく、原稿Ｍの有無およびサイズを確実に検出できる。
【００９１】
図１３は、第２のＭＦＰにおける原稿サイズ検知用素子および原稿有無検知用素子を実装した他の（図１２（Ａ）に示す例とは異なる）一例を示した図であり、より詳細には、プラテンカバー１５Ｂの裏側から見た受光ＡＰＳセンサ２０の配置図である。
【００９２】
なお、図１３に示す他の例において、原稿サイズ検知用受光素子および原稿有無検知用受光素子の実装は、図１２（Ｂ）に示す実装例を適用している。
【００９３】
図１３に示すように、プラテンカバー１５Ｂの裏面には、受光する受光ＡＰＳセンサ２０（２０Ａ〜２０Ｅ）が、Ｖ１Ｈ１，Ｖ１Ｈ２，Ｖ１Ｈ３，Ｖ１Ｈ４の位置と、Ｖ３Ｈ１の位置とに配置される。
【００９４】
図１３に示す実装例と図１２（Ａ）に示す実装例との相違は、図１３に示すプラテンカバー１５Ｂでは、原稿有無検知用受光素子３９を設けず、受光ＡＰＳセンサ２０を配置する位置を変更した点にある。
【００９５】
プラテンカバー１５Ｂにおいて、図１３に示す位置に受光ＡＰＳセンサ２０を配置することで、発光ＡＰＳセンサ１７が設けられた第１のキャリッジ１９が待機位置（ホームポジション）にある時に、Ｖ１Ｈ１，Ｖ１Ｈ２，Ｖ１Ｈ３，Ｖ１Ｈ４の受光ＡＰＳセンサ２０と、図１２（Ｂ）に示すＶＸＨ１，ＶＸＨ２，ＶＸＨ３，ＶＸＨ４の発光ＡＰＳセンサ１７とで原稿Ｍの横幅（主走査方向の長さ）が検出できる。
【００９６】
図１４は、横軸を時間軸として第２のＭＦＰにおける原稿のサイズ検出のタイミングチャートを示す図である。
【００９７】
図１４では、原稿台ガラス９にサイズＡ４−Ｒの原稿Ｍが置かれ、プラテンカバー１５Ｂが図１２（Ａ）に示す構成である場合について説明する。
【００９８】
ユーザが原稿台ガラス９に原稿Ｍを位置決めしてプラテンカバー１５Ｂを閉じると、原稿Ｍの有無を検出するため、ＶＸの位置にある全ての発光ＡＰＳセンサ１７が発光する。そして、発光した光は、まず、Ｖ１Ｈ１の位置にある原稿有無検知用受光素子３９によって受光される。
【００９９】
発光ＡＰＳセンサ１７が発光した光を原稿有無検知用受光素子３９が受光すると、受光した光に基づいてＣＰＵ２５が原稿Ｍの有無を検知する。ＣＰＵ２５が原稿Ｍは存在しないと判断した場合、以降の処理（ＡＰＳ処理）は実施しない。
【０１００】
原稿Ｍのサイズの検出は、ＣＰＵ２５が、原稿Ｍの読み取り開始によりキャリッジ１９，２１が動作した時に、原稿サイズに応じて、Ｖ２Ｈ１、Ｖ２Ｈ２、Ｖ２Ｈ３、Ｖ２Ｈ４およびＶ３Ｈ１の位置に配置される受光ＡＰＳセンサ２０Ａ〜２０Ｅの検知結果に基づいて行う。
【０１０１】
受光ＡＰＳセンサ２０のうち、Ｖ２Ｈ１、Ｖ２Ｈ２およびＶ３Ｈ１の位置に配置される受光ＡＰＳセンサ２０が原稿Ｍを検出し（受光なし）、Ｖ２Ｈ３およびＶ２Ｈ４の位置に配置される受光ＡＰＳセンサ２０が原稿Ｍを未検出（受光あり）の場合、原稿サイズをＡ４−Ｒと認識する。
【０１０２】
原稿Ｍのサイズは、発光ＡＰＳセンサ１７を移動（走査）させて受光ＡＰＳセンサ２０が原稿Ｍを検出した回数によって判断することができる。
【０１０３】
第１のキャリッジ１９および第２のキャリッジ２１は、画像読取が完了すると、ホームポジションへ移動する。
【０１０４】
第２のＭＦＰでは、原稿Ｍの有無およびサイズを検知するセンサとして透過型センサを採用しているので、反射型センサを採用する場合よりも装置を薄型化できるとともに、画像の読取対象となる原稿Ｍが高濃度であっても誤検出がなく、原稿Ｍの有無およびサイズを確実に検出できる。
【０１０５】
また、原稿Ｍの有無を検知するセンサ（原稿有無検知用受光素子３９）を設けることなく、原稿Ｍのサイズ検出用の受光素子および発光素子を利用することで、原稿Ｍの有無を検知することができる（図１３参照）。さらに、原稿Ｍの取り忘れについても検出できる。
【０１０６】
一方、原稿サイズの検出の後に画像読取を実施しているので、画像読取終了（ページメモリ３１に書き込み完了）前にプリンタ３へ原稿サイズ情報を送信し、プリンタ３側で適切な紙サイズの選択を実施することができる。
【０１０７】
また、発光ＡＳＰセンサ１７は、原稿読み取り動作中は常時点灯で問題ないため、発光ＡＳＰセンサ１７を行う必要なく、コントローラ内の処理の負担軽減に貢献することができる。
【０１０８】
なお、第２のＭＦＰでは、図１２（Ｂ）に示されるように、第１のキャリッジ１９に設けられる発光ＡＳＰセンサ１７が点光源である場合を説明したが、図１５に示すように、ライン光源４０の場合もある。原稿サイズ検知用発光素子がライン光源４０の場合、第１のキャリッジ１９には、原稿Ｍを露光するための光源７が配置されているため、この光源７の光を原稿サイズの検出に利用しても良い。
【０１０９】
また、本発明の第２の実施形態では、ＭＦＰに適用した場合について説明したが、スキャナ２Ｂを単体の画像読取装置に適用することもできる。さらに、画像読取を行わずに原稿Ｍのサイズを検知する原稿サイズ検知装置にも適用することができる。
【０１１０】
［第３の実施形態］
本発明の第３の実施形態に係る画像形成装置（以下、第３のＭＦＰとする）は、原稿Ｍが斜めに位置決めされた場合に原稿Ｍが原稿台ガラス９上に斜めに置かれている旨を検出する機能（以下、原稿傾き検出機能とする）をＭＦＰ１Ａに対してさらに付加して構成される。
【０１１１】
本発明の第３の実施形態に係る画像形成装置（第３のＭＦＰ）は、ＭＦＰ１Ａに対して原稿傾き検出機能をさらに付加しているため、図３に示すスキャナ２Ａ内の制御装置２４の構成が相違する。そこで、本実施形態の説明では、ＭＦＰ１Ａに対して実質的な相違点が無い構成要素についてはその説明を省略する。
【０１１２】
図１６は、第３のＭＦＰのスキャナの一例であるスキャナ２Ｃ（図１７参照）における原稿Ｍの傾きをどのように検出するかを説明する図である。
【０１１３】
図１６に示すように、原稿台ガラス９上に原稿Ｍが斜めに置かれていた状態のまま原稿Ｍの画像を読み取ると、スキャナ２Ｃは、原稿Ｍの画像を斜めの画像として読み取ってしまう。従って、読取画像を印刷すると斜めの画像が印刷され、ミスプリントとなる。
【０１１４】
原稿Ｍが斜めに置かれていることを、画像の読取実行前に検出できれば、上記の不具合、すなわち、ミスプリントは発生しない。そこで、スキャナ２Ｃに例えば、ＡＰＳセンサ（発光ＡＰＳセンサ１７と受光ＡＰＳセンサ２０との対）等の原稿サイズを検出可能なセンサ（以下、原稿サイズ検知用素子とする）を主走査方向に、例えば、４個配置し、少なくとも２個のセンサ（例えば、第１の原稿サイズ検知用素子および第４の原稿サイズ検知用素子）を用いて原稿Ｍの傾きを検出する。
【０１１５】
ここで、図１６に示すＤＬ１〜ＤＬ４は、それぞれ、第１の原稿サイズ検知用素子〜第４の原稿サイズ検知用素子が原稿Ｍを検出可能な線を示す。
【０１１６】
例えば、読取動作開始時から第１の原稿サイズ検知用素子がＤＬ１において原稿Ｍを検出するまでの時間ｔ１と、読取動作開始時から第４の原稿サイズ検知用素子がＤＬ４において原稿Ｍを検出するまでの時間ｔ４とを求め、ｔ４−ｔ１＞Ｔ（＞０）の場合は、原稿Ｍが斜めに置かれていると判断することができる。ここで、Ｔは、画像を斜めと判断する任意の時間差である。
【０１１７】
図１７は、第３のＭＦＰのスキャナの一例であるスキャナ２Ｃにおける制御装置２４Ａの構成例を概略的に示す図である。
【０１１８】
原稿Ｍの傾きを検出する第３のＭＦＰにおける制御装置２４Ａは、ＭＦＰ１Ａに対して時間差検出部４５をさらに備えるが、その他の点は実質的に相違しない。そこで、実質的に相違しない構成要素であるドライバ部２６および画像処理部２９については図を簡略化する観点から省略している。
【０１１９】
制御装置２４Ａは、読取動作開始時から第１の原稿サイズ検知用素子がＤＬ１において原稿Ｍを検出するまでの時間ｔ１を計測する第１のカウンタ４６Ａと、読取動作開始時から第４の原稿サイズ検知用素子がＤＬ４において原稿Ｍを検出するまでの時間ｔ４までの時間ｔ４を計測する第２のカウンタ４６Ｂとを備える。
【０１２０】
第１のカウンタ４６Ａおよび第２のカウンタ４６Ｂは、画像読取動作開始に同期してカウントを開始する。その後、原稿Ｍを検出するとカウントを終了し、そのカウント値をＣＰＵ２５へ出力する。
【０１２１】
ＣＰＵ２５は第１のカウンタ４６Ａから受信したカウント値と第２のカウンタ４６Ｂから受信したカウント値に基づいて、受光ＡＰＳセンサ２０の検出時間差（カウント値の差）を演算して求める。
【０１２２】
ＣＰＵ２５は、受光ＡＰＳセンサ２０の検出時間差（カウント値の差）が予め設定された閾値Ｔを超えている場合、すなわち、ｔ４−ｔ１＞Ｔ（＞０）の場合には、原稿Ｍが斜めに置かれていると判断し、画像読取動作を停止するようにスキャナ２Ｃを制御する。または、原稿Ｍが斜めに置かれていることをコントロールパネル等のディスプレイ４７に表示する。
【０１２３】
第３のＭＦＰでは、原稿Ｍが斜めに位置決めされていたとしても、画像読取動作を停止する、または、画像読取前にユーザにその旨を通知するので、斜めに置かれていた状態のまま原稿Ｍの画像を読み取ることを防止することができる。また、原稿Ｍの画像を斜めの画像のまま読み取ることを防止するので、読取画像を印刷する際に生じるミスプリントを防止できる。
【０１２４】
なお、受光ＡＰＳセンサ２０の時間差（カウント値の差）の検出は、時間差検出部４５が行っていると説明したが、図１７の点線で示すように、ＣＰＵ２５が２つの原稿サイズ検知用素子における読取動作開始時から原稿Ｍを検出するまでの時間を直接受信して時間差を計算するように制御装置２４Ａを構成しても良い。
【０１２５】
また、２つの異なる原稿サイズ検知用素子が原稿Ｍを検出するまでの時間差の測定は、読取動作開始時を基準として検出までに要する時間の差を求めることで行うと説明したが、先に原稿Ｍを検出した原稿サイズ検知用素子の検出時を基準として他方の原稿サイズ検知用素子が原稿Ｍを検出するまでの時間の遅れを測定することで行っても良い。
【０１２６】
さらに、本実施形態では、ＭＦＰに適用した場合について説明したが、スキャナ２Ｃを単体の画像読取装置に適用することもできる。さらに、画像読取を行わずに原稿Ｍのサイズを検知する原稿サイズ検知装置にも適用することができる。
【０１２７】
以上、本発明によれば、原稿の読み取りに先行して原稿サイズを検出できるため、原稿サイズ検出と画像読取が同時に実行でき、かつ、原稿サイズに適したサイズで原稿読取りを終了できる。従って、原稿読取時間の短縮が可能となる。
【０１２８】
また、キャリッジに複数の発光素子と、プラテンカバー側に複数の受光素子を設けることで、従来の画像読取装置のようにスキャナベース板金上に原稿サイズ検知用素子を設ける必要がなくなるため、装置の小型化、および、薄型化が可能となる。
【０１２９】
さらに、透過型センサを使用することによって、反射型センサでは適切に検出できなかった高濃度原稿に対しての原稿サイズ検出が可能となる。
【０１３０】
さらにまた、原稿サイズ検知用発光素子を固体走査素子からライン光源とすることで、画像の読み取りに使用している光源７の流用が可能となり、装置の更なるコストダウンに寄与することができる。
【０１３１】
固定原稿サイズ検出素子（受光側）を用いて、原稿Ｍの画像読取完了前に、原稿台ガラス９上に位置決めされた原稿Ｍの傾きを検出できるので、原稿Ｍを斜め画像として読み取ることを防止できる。
【０１３２】
また、原稿台ガラス９上の原稿Ｍの傾きを検出するのに、原稿サイズ検知用受光素子の検出結果をＣＰＵ２５が演算するように構成すれば、カウンタ４６（第１のカウンタ４６Ａおよび第２のカウンタ４６Ｂ）が不要となる。
【０１３３】
さらに、制御装置２４，２４Ａが原稿サイズ検知用発光素子（発光ＡＰＳセンサ１７）を原稿サイズ検出時以外は発光しないようにＯＮ／ＯＦＦを制御するので、読取画像に発光ＡＰＳセンサ１７からの照射光が外乱光として入射するのを防止し、原稿サイズの誤検出および読取画像の画質劣化を防止できる。
【０１３４】
さらにまた、第１のキャリッジ１９に、散乱光３６と受光ＡＰＳセンサ２０の間を遮光する遮光部３７を設けることで、受光ＡＰＳセンサ２０に散乱光３６が外乱光として入射するのを防止し、原稿サイズの誤検出および読取画像の画質劣化を防止できる。
【０１３５】
第１のキャリッジ１９が待機位置（ホームポジション）にあるままで、原稿Ｍの有無を検出できるため、プラテンカバー１５Ａ，１５Ｂを閉じた状態で原稿Ｍの有無を検知することができる。その結果、画像読取後の原稿Ｍの取り忘れを防止できる。
【０１３６】
また、第１のキャリッジ１９が待機位置（ホームポジション）にあるまま、原稿Ｍの横幅が検出できるため、原稿Ｍの画像読取時には、不要な発光ＡＰＳセンサ１７を消灯することができる。その結果、画像読取時に発光ＡＰＳセンサ１７の発光に起因する読取画像の画質劣化を防止できる。
【０１３７】
原稿サイズを検出した場合、読取動作を停止し、キャリッジを待機位置へ戻すことで、読取時間短縮が可能となる。また、原稿Ｍの画像読取と原稿サイズ検出が同一スキャンで行えるため、原稿サイズ検出のためのプリスキャンが不要となり、任意時間あたりの画像読取枚数および画像複写枚数を向上（生産性を向上）させることができる。すなわち、より高い生産性を有し、画質劣化がなく、読取ミスのない画像読取装置およびＭＦＰの提供が可能となる。
【０１３８】
なお、本発明は上記の各実施形態そのままに限定されるものではなく、実施段階ではその要旨を逸脱しない範囲で構成要素を変形して具体化できる。また、上記の各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【０１３９】
【図１】本発明の第１の実施形態に係る画像形成装置（ＭＦＰ）の構成例を概略的に示す図。
【図２】本発明の第１の実施形態に係る画像読取装置（スキャナ）の構成例を概略的に示す図。
【図３】本発明の第１の実施形態に係る画像形成装置（ＭＦＰ）の機能ブロック図。
【図４】（Ａ）は、本発明の第１の実施形態に係る画像読取装置（スキャナ）におけるプラテンカバーの裏側から見た発光ＡＰＳセンサおよび原稿有無検知用発光素子の配置例を示す図、（Ｂ）は、本発明の第１の実施形態に係る画像読取装置（スキャナ）において、上（原稿台ガラス）側から見た場合における原稿サイズ検知用受光素子および原稿有無検知用受光素子の配置例を示す図。
【図５】本発明の第１の実施形態に係る画像形成装置におけるプラテンカバーの裏側から見た発光ＡＰＳセンサおよび原稿有無検知用発光素子の他の配置例を示す図。
【図６】本発明の第１の実施形態に係る画像形成装置における原稿サイズ（例えば、ＡＢ系列の原稿サイズ）と原稿サイズ検知用受光素子の受光位置との関係を示した図。
【図７】図６に示した発光ＡＰＳセンサからの光を受光する受光ＡＰＳセンサのＯＮ／ＯＦＦと原稿サイズとの関係を示した表。
【図８】本発明の第１の実施形態に係る画像形成装置における原稿のサイズ検出のタイミングを示す図（タイミングチャート）。
【図９】本発明の第１の実施形態に係る画像読取装置において、受光ＡＰＳセンサの周辺に遮光部を設置した第１のキャリッジの構成例を示す図。
【図１０】本発明の第２の実施形態に係る画像読取装置の構成例を概略的に示す図。
【図１１】本発明の第２の実施形態に係る画像形成装置（第２のＭＦＰ）の機能ブロック図。
【図１２】（Ａ）は、本発明の第２の実施形態に係る画像読取装置（スキャナ）におけるプラテンカバーの裏側から見た受光ＡＰＳセンサおよび原稿有無検知用受光素子の配置例を示す図、（Ｂ）は、本発明の第２の実施形態に係る画像読取装置において、上（原稿台ガラス）側から見た場合における原稿サイズ検知用発光素子および原稿有無検知用発光素子の配置例を示す図。
【図１３】本発明の第２の実施形態に係る画像形成装置におけるプラテンカバーの裏側から見た受光ＡＰＳセンサおよび原稿有無検知用受光素子の他の配置例を示す図。
【図１４】本発明の第２の実施形態に係る画像形成装置における原稿のサイズ検出のタイミングを示す図（タイミングチャート）。
【図１５】本発明の第２の実施形態に係る画像読取装置において、原稿サイズ検知用発光素子および原稿有無検知用発光素子としてライン光源を用いた例を示す図。
【図１６】本発明の第３の実施形態に係る画像読取装置において原稿の傾きをどのように検出するかを説明する図。
【図１７】本発明の第３の実施形態に係る画像読取装置における制御装置の構成例を概略的に示す図。
【符号の説明】
【０１４０】
１Ａ  ＭＦＰ（画像形成装置）
２Ａ，２Ｂ，２Ｃ  スキャナ（画像読取装置）
３  プリンタ
５  排紙トレイ
７  光源
８  リフレクター
９  原稿台ガラス
１０  第１のミラー
１１  第２のミラー
１２  第３のミラー
１３  集光レンズ
１４  ＣＣＤセンサ
１５Ａ，１５Ｂ  原稿台カバー（プラテンカバー）
１６  プラテンカバー開閉スイッチ
１７（１７Ａ，１７Ｂ，１７Ｃ，１７Ｄ，１７Ｅ）  発光ＡＰＳセンサ
１９  第１のキャリッジ
２０（２０Ａ，２０Ｂ，２０Ｃ，２０Ｄ，２０Ｅ）  受光ＡＰＳセンサ
２１  第２のキャリッジ
２４，２４Ａ  制御装置（制御手段）
２５  ＣＰＵ
２６  ドライバ部
２７  光
２８  インバータ
２９  画像処理部
３０  システム／画像制御部
３１  ページメモリ
３２  モータ
３５  原稿有無検知用発光素子
３６  散乱光
３７  遮光部
３８  ケーブル
３９  原稿有無検知用受光素子
４０  ライン光源
４５  時間差検出部
４６（４６Ａ，４６Ｂ）  カウンタ
４７  ディスプレイ
【図１】
2007318744.tif 000003
【図２】
2007318744.tif 000004
【図３】
2007318744.tif 000005
【図４】
2007318744.tif 000006
【図５】
2007318744.tif 000007
【図６】
2007318744.tif 000008
【図７】
2007318744.tif 000009
【図８】
2007318744.tif 000010
【図９】
2007318744.tif 000011
【図１０】
2007318744.tif 000012
【図１１】
2007318744.tif 000013
【図１２】
2007318744.tif 000014
【図１３】
2007318744.tif 000015
【図１４】
2007318744.tif 000016
【図１５】
2007318744.tif 000017
【図１６】
2007318744.tif 000018
【図１７】
2007318744.tif 000019